(57)【要約】【課題】安価かつコンパクトでズーム比の大きい高性能な２焦点レンズを提供する。【解決手段】２焦点レンズ１は、像面１３からの距離が固定されたレンズ群２と、レンズ群２の像面１３側に配置されて光軸方向に沿って移動可能に構成されたレンズ群３と、レンズ群３の像面１３側に配置されて光軸方向に沿って移動可能に構成されたレンズ群４とを備え、レンズ群２は、負の屈折率を有するレンズ５を有し、レンズ群３は、正の屈折率を有するレンズ６と、レンズ６の像面側に配置されて正の屈折率を有するレンズ７と、レンズ７の像面１３側に配置されて物体１４側に凹のメニスカス形状を有し、像面１３側の面が変曲点を有するレンズ８と、レンズ８の像面１３側に配置され、像面１３側に凸のメニスカス形状を有するレンズ９とを有し、レンズ群４は、負の屈折率を有するレンズ１０を有し、レンズ５乃至レンズ１０は、非球面形状を有する。【選択図】図１
2011123210.tif 000002
【特許請求の範囲】
【請求項１】
像面からの距離が固定された第１レンズ群と、
前記第１レンズ群の像面側に配置されて光軸方向に沿って移動可能に構成された第２レンズ群と、
前記第２レンズ群の像面側に配置されて光軸方向に沿って移動可能に構成された第３レンズ群とを備え、
前記第１レンズ群は、負の屈折率を有する第１レンズを有し、
前記第２レンズ群は、正の屈折率を有する第２レンズと、
前記第２レンズの像面側に配置されて正の屈折率を有する第３レンズと、
前記第３レンズの像面側に配置されて物体側に凹のメニスカス形状を有し、像面側の面が変曲点を有する第４レンズと、
前記第４レンズの像面側に配置され、像面側に凸のメニスカス形状を有する第５レンズとを有し、
前記第３レンズ群は、負の屈折率を有する第６レンズを有し、
前記第２レンズ乃至前記第６レンズは、非球面形状を有することを特徴とする２焦点レンズ。
【請求項２】
前記第６レンズは、その中心と周辺とのレンズパワー配分が異なるような変曲点を有する面を持っている請求項１記載の２焦点レンズ。
【請求項３】
前記第１レンズ乃至第６レンズは、プラスチック材料によって構成されている請求項１記載の２焦点レンズ。
【請求項４】
前記第１レンズは、低分散ガラスによって構成され、
前記第２レンズ乃至前記第６レンズは、プラスチック材料によって構成されている請求項１記載の２焦点レンズ。
【請求項５】
広角端における前記第６レンズと電子撮像素子との間の距離が、２焦点レンズの全長の１／１０以下である請求項１記載の２焦点レンズ。
【請求項６】
光学全長が８ｍｍ以下である請求項１記載の２焦点レンズ。
【請求項７】
広角端におけるＦナンバーが４以下である請求項１記載の２焦点レンズ。
【請求項８】
請求項１記載の２焦点レンズと、
前記２焦点レンズにおいて形成される像を表す光を受光する電子撮像素子とを備えることを特徴とするカメラモジュール。
【請求項９】
前記電子撮像素子は、画素サイズ２．５μｍ以下のＣＭＯＳ撮像素子またはＣＣＤ撮像素子である請求項８記載のカメラモジュール。
【請求項１０】
前記ＣＭＯＳ撮像素子またはＣＣＤ撮像素子の画素数は、３Ｍ以上である請求項９記載のカメラモジュール。
【請求項１１】
前記２焦点レンズの第１レンズは、プラスチック材料によって構成されており、
前記第１レンズの物体側の面は平面である請求項８記載のカメラモジュール。
【請求項１２】
前記２焦点レンズの第１レンズは、ガラス材料によって構成されており、
前記第１レンズの物体側の面は平面である請求項８記載のカメラモジュール。
【請求項１３】
前記２焦点レンズにおける第１レンズの物体側の面は平面であり、
前記第１レンズの像側の面は球面である請求項８記載のカメラモジュール。
【請求項１４】
請求項１記載の２焦点レンズと、
前記２焦点レンズにおいて形成される像を表す光を受光する電子撮像素子と、
前記電子撮像素子によって撮像された画像を記憶するメモリとを備えたことを特徴とする携帯情報機器。
【発明の詳細な説明】
【技術分野】
【０００１】
本発明は、像面からの距離が固定された第１レンズ群と、第１レンズ群の像面側に配置された第２レンズ群と、第２レンズ群の像面側に配置された第３レンズ群とを備えた２焦点レンズ、ならびに、これを用いたカメラモジュールおよび携帯情報機器に関する。
【背景技術】
【０００２】
近年、ＣＣＤ（Charge Coupled Device）またはＣＭＯＳ（Complementary Metal Oxide  Semiconductor）による固体撮像素子を備えたコンパクトなデジタルカメラまたはデジタルビデオユニットを内蔵した装置が種々開発されている。特に情報携帯端末および携帯電話が普及し、それらに搭載される撮像モジュールには、高解像性能はもちろんのこと、携帯性の観点から小型・低背のズーム撮像レンズが望まれている。
【０００３】
このような要求を実現可能な撮像レンズのタイプとして、コンパクトさと良好な光学特性をバランスさせたズームレンズおよび２焦点レンズとして特許文献１のズームレンズおよび特許文献２の２焦点切り替え型撮像レンズが開示されている。
【０００４】
特許文献１に開示されたズームレンズは、像面からの距離が固定されて負の屈折力を有する第１群レンズと、正の屈折率を有し、ズーミング時に移動する第２群レンズと、正の屈折率を有し、ズーミング時に移動する第３群レンズと、像面からの距離が固定された正の屈折率を有する第４群レンズとを備えている。第１群レンズ、第２群レンズ、第３群レンズおよび第４群レンズは、物体側から像面側に向かって順に配置されている。第３群レンズは、開口絞りと正の屈折力を有するレンズと、負の屈折力を有するレンズとを有している。
【０００５】
特許文献２に開示された２焦点切り替え型撮像レンズは、負の屈折力を有する第１レンズ群と、正の屈折力を有する第２レンズ群と、正の屈折力を有する第３レンズ群とを備えており、第２レンズ群を２焦点位置間で光軸に沿って移動させて広角端および望遠端を切り換える。第１レンズ群は、少なくとも一方が非球面レンズとされた負レンズおよび正レンズを有しており、第２レンズ群は、２枚の接合レンズと非球面レンズとを有しており、第３レンズ群は、１枚の正レンズを有している。
【先行技術文献】
【特許文献】
【０００６】
【特許文献１】特開２００７−１５６４１７号公報（２００７年０６月２１日公開）
【特許文献２】特開２００７−０９３９６１号公報（２００７年０４月１２日公開）
【発明の概要】
【発明が解決しようとする課題】
【０００７】
しかしながら、特許文献１の構成のように光学的なズーミングにより変倍機能をもたせた場合には、ズーム全域でピントを合わせる為に、最低でも２つのレンズ群を可動させる必要がある。このため、その構造が複雑になり、また、第４群レンズは、正の屈折力を有するレンズであり、位置は固定されており、焦点距離の変化に寄与できないので、高い変倍を確保する為には、ズーミング時、レンズの可動量が大きくなり、全長が長くなるという問題がある。
【０００８】
また、特許文献２では、このような事情に鑑み、コンパクト性に優れ、諸収差を良好に補正し得る２焦点切り替え型結像レンズが提案されているが、それでもレンズ全長が長く、広角と望遠との変倍比は２程度で十分でないという問題がある。
【０００９】
本発明はこの様な事情に鑑みなされたものであり、簡単な構成により、安価かつコンパクトでズーム比の大きい高性能な２焦点レンズ、ならびに、これを用いたカメラモジュール、および携帯情報機器を提供する事を目的とするものである。
【課題を解決するための手段】
【００１０】
本発明に係る２焦点レンズは、像面からの距離が固定された第１レンズ群と、前記第１レンズ群の像面側に配置されて光軸方向に沿って移動可能に構成された第２レンズ群と、前記第２レンズ群の像面側に配置されて光軸方向に沿って移動可能に構成された第３レンズ群とを備え、前記第１レンズ群は、負の屈折率を有する第１レンズを有し、前記第２レンズ群は、正の屈折率を有する第２レンズと、前記第２レンズの像面側に配置されて正の屈折率を有する第３レンズと、前記第３レンズの像面側に配置されて物体側に凹のメニスカス形状を有し、像面側の面が変曲点を有する第４レンズと、前記第４レンズの像面側に配置され、像面側に凸のメニスカス形状を有する第５レンズとを有し、前記第３レンズ群は、負の屈折率を有する第６レンズを有し、前記第２レンズ乃至前記第６レンズは、非球面形状を有することを特徴とする。
【００１１】
上記特徴により、広角端では、第１レンズにより広い画角を確保し、第２レンズに適用した非球面により、第２レンズにより集光した光線の球面収差を補正するとともに、第３レンズ乃至第５レンズにおいて諸収差を良好に補正することができる。また、望遠端においては、望遠端では、第２レンズ乃至第５レンズを一つの群とし、第６レンズを一つの群とし、それぞれの群を物体側に移動させることにより、撮像領域に望遠の像を結像し２．５以上の変倍を実現することができる。これにより、簡単な構成で、安価かつコンパクトでズーム比の大きい高性能な２焦点レンズを提供することができる。
【００１２】
本発明に係る２焦点レンズでは、前記第６レンズは、その中心と周辺とのレンズパワー配分が異なるような変曲点を有する面を持っていることが好ましい。
【００１３】
上記構成により、第６レンズは中心と周辺とでレンズパワーが異なり、広角端から望遠端に移るとき、物体側にレンズを移動させる。この時、広角端における軸外光線は、望遠端における軸外光線に比べ、第６レンズの光軸に対する法線方向に沿って、より広い範囲のレンズ面を通過する。逆に、望遠端における軸外光線は、広角端における軸外光線に比べて、第６レンズの中心付近しか通過しない。この時、第６レンズは、その中心と周辺とでレンズパワーの配分が異なるため、第６レンズの周辺を光線が通る場合と、第６レンズの中心付近しか光線が通らない場合とで、光線に対するレンズパワーの影響が異なる。これにより、広角端と望遠端とで像面湾曲の補正方向を変化させることができる。
【００１４】
本発明に係る２焦点レンズでは、前記第１レンズ乃至第６レンズは、プラスチック材料によって構成されていることが好ましい。
【００１５】
上記構成によれば、ガラスに比べて安価なプラスチックを全材料に適用することにより安価なレンズユニットを実現することができる。
【００１６】
本発明に係る２焦点レンズでは、前記第１レンズは、低分散ガラスによって構成され、  前記第２レンズ乃至前記第６レンズは、プラスチック材料によって構成されていることが好ましい。
【００１７】
上記構成によれば、第１レンズに低分散ガラスを用いることにより、第１レンズの負のパワーによる色分散が低減され、高い解像性能を実現することができる。また、第１レンズ以外の第２レンズ乃至第６レンズは、プラスチック材料によって構成するので、安価に２焦点レンズを構成することができる。
【００１８】
本発明に係る２焦点レンズでは、広角端における前記第６レンズと電子撮像素子との間の距離が、２焦点レンズの全長の１／１０以下であることが好ましい。
【００１９】
上記構成によれば、光束が比較的絞られた像面に近い領域において歪を補正するため、歪が生じやすい広角端における光線に対して歪を良好に補正することができる。
【００２０】
本発明に係る２焦点レンズでは、光学全長が８ｍｍ以下であることが好ましい。
【００２１】
上記構成によれば、本発明のレンズ構成に対して光学全長を８ｍｍ以下にすることにより、コンパクトで高性能な２焦点レンズを実現することができる。
【００２２】
本発明に係る２焦点レンズでは、広角端におけるＦナンバーが４以下であることが好ましい。
【００２３】
上記構成によれば、Ｆナンバーを小さくすることにより受光光量を増大させ、かつ諸収差を良好に補正することにより、高い解像性能を実現することができる。
【００２４】
本発明に係るカメラモジュールは、本発明に係る２焦点レンズと、前記２焦点レンズにおいて形成される像を表す光を受光する電子撮像素子とを備えることを特徴とする。
【００２５】
この特徴により、安価かつコンパクトでズーム比の大きい高性能なデジタルカメラを実現することができる。
【００２６】
本発明に係るカメラモジュールでは、前記電子撮像素子は、画素サイズ２．５μｍ以下のＣＭＯＳ撮像素子またはＣＣＤ撮像素子であることが好ましい。
【００２７】
上記構成により、高画素の撮像素子の性能を十分活かしたカメラモジュールを提供することができる。
【００２８】
本発明に係るカメラモジュールでは、前記ＣＭＯＳ撮像素子またはＣＣＤ撮像素子の画素数は、３Ｍ以上であることが好ましい。
【００２９】
上記構成により、レンズの解像性能を十分活かしたカメラモジュールを提供することができる。
【００３０】
本発明に係るカメラモジュールでは、前記２焦点レンズの第１レンズは、プラスチック材料によって構成されており、前記第１レンズの物体側の面は平面であることが好ましい。
【００３１】
上記構成により、第１レンズをズームカメラモジュールの最物体側面に配置することができるため、レンズ頂点より物体側に飛び出した筐枠を不要とし、低背化につなげることができる。さらに、第１レンズは、片面が平面であるため、光軸に対する法線方向へのレンズ両面の面間軸ズレ調整が不要となり、製造が容易になる。
【００３２】
本発明に係るカメラモジュールでは、前記２焦点レンズの第１レンズは、ガラス材料によって構成されており、前記第１レンズの物体側の面は平面であることが好ましい。
【００３３】
ガラスレンズは並行偏芯（軸ズレ）を小さく作製することが困難であるが、上記構成により、第１レンズは、光軸に対する法線方向へのレンズ両面の面間軸ズレ調整が不要となり、製造が容易になる。
【００３４】
本発明に係るカメラモジュールでは、前記２焦点レンズにおける第１レンズの物体側の面は平面であり、前記第１レンズの像側の面は球面であることが好ましい。
【００３５】
上記構成により、面間軸ズレおよび傾き自体が無くなるため、第１レンズの偏芯調整が不要となり、製造が容易になる。
【００３６】
本発明に係る携帯情報機器は、本発明に係る２焦点レンズと、前記２焦点レンズにおいて形成される像を表す光を受光する電子撮像素子と、前記電子撮像素子によって撮像された画像を記憶するメモリとを備えたことを特徴とする。
【００３７】
この特徴により、安価かつコンパクトでズーム比の大きい高性能な撮像機能を備えた携帯情報端末を提供することができる。
【発明の効果】
【００３８】
本発明に係る２焦点レンズは、前記第２レンズ群は、正の屈折率を有する第２レンズと、前記第２レンズの像面側に配置されて正の屈折率を有する第３レンズと、前記第３レンズの像面側に配置されて物体側に凹のメニスカス形状を有し、像面側の面が変曲点を有する第４レンズと、前記第４レンズの像面側に配置され、像面側に凸のメニスカス形状を有する第５レンズとを有し、前記第３レンズ群は、負の屈折率を有する第６レンズを有し、前記第２レンズ乃至前記第６レンズは、非球面形状を有するので、簡単な構成で、安価かつコンパクトでズーム比の大きい高性能な２焦点レンズ、ならびに、これを用いたカメラモジュール、および携帯情報機器を得ることができる。
【図面の簡単な説明】
【００３９】
【図１】（ａ）は、実施の形態に係る広角端における２焦点レンズの構成を示す断面図であり、（ｂ）は望遠端における２焦点レンズの構成を示す断面図である。
【図２】上記２焦点レンズを構成する各レンズの非球面式、材料、ズーム移動等のデータを記載した図である。
【図３】上記２焦点レンズの仕様及び各種光学特性を記載した図である。
【図４】上記２焦点レンズの広角端におけるＭＴＦ・空間周波数特性を示すグラフである。
【図５】上記２焦点レンズの望遠端におけるＭＴＦ・空間周波数特性を示すグラフである。
【図６】上記２焦点レンズの広角端におけるＭＴＦ・デフォーカス特性を示すグラフである。
【図７】上記２焦点レンズの望遠端におけるＭＴＦ・デフォーカス特性を示すグラフである。
【図８】上記２焦点レンズの広角端における球面収差を示すグラフである。
【図９】上記２焦点レンズの望遠端における球面収差を示すグラフである。
【図１０】上記２焦点レンズの広角端における非点収差および歪曲収差を示すグラフである。
【図１１】上記２焦点レンズの望遠端における非点収差および歪曲収差を示すグラフである。
【発明を実施するための形態】
【００４０】
本発明の２焦点レンズに関する実施形態について、図１〜図１１に基づいて説明すれば、以下のとおりである。
【００４１】
（実施の形態の２焦点レンズの構成）
図１（ａ）は、実施の形態に係る広角端における２焦点レンズ１の構成を示す断面図であり、（ｂ）は望遠端における２焦点レンズ１の構成を示す断面図である。
【００４２】
２焦点レンズ１は、レンズ群２を備えている。レンズ群２は、負の屈折率を有するレンズ５によって構成されている。レンズ５は、像面１３からの距離が固定されており、物体１４側の面は平面である。レンズ５の像面１３側の面は、球面であることが好ましい。２焦点レンズ１には、レンズ５の像面１３側に配置されて光軸１５の方向に沿って移動可能に構成されたレンズ群３が設けられている。レンズ群３は、正の屈折率を有するレンズ６と、レンズ６の像面１３側に配置されて正の屈折率を有するレンズ７と、レンズ７の像面１３側に配置されて物体１４側に凹のメニスカス形状を有し、像面１３側の面が変曲点を有するレンズ８と、レンズ８の像面１３側に配置され、像面１３側に凸のメニスカス形状を有するレンズ９とを有している。
【００４３】
２焦点レンズ１は、レンズ群４を備えている。レンズ群４は、レンズ群３の像面側に配置されて光軸１５の方向に沿って移動可能に構成されている。レンズ群４は、負の屈折率を有するレンズ１０によって構成されている。
【００４４】
レンズ６、レンズ７、レンズ８、レンズ９およびレンズ１０は、非球面形状を有している。レンズ１０は、その中心と周辺とのレンズパワー配分が異なるような変曲点を有する面を有している。例えば、レンズ１０の物体側面では、中心部は凹状であり、周辺部は凸状である。この中心部と周辺部との形状の違いにより、中心部と周辺部とでパワー配分が異なっている。従って、レンズ１０の中心と周辺とのレンズパワー配分が異なるような変曲点は、レンズ１０の物体側面の凹状の中心部と突状の周辺部との境界に存在する。レンズ１０の中心部を通る光線と周辺部を通る光線とは同様に正のパワーもしくは負のパワーを受けるのではなく、一方は正のパワーを受け、他方は負のパワーを受ける。
【００４５】
すべてのレンズ５・６・７・８・９・１０は、プラスチック材料によって構成されている。なお、すべてのレンズ５・６・７・８・９・１０が、プラスチック材料によって構成されている例を示したが、本発明はこれに限定されない。レンズ５を、低分散ガラスによって構成し、残りのレンズ６・７・８・９・１０をプラスチック材料によって構成してもよい。
【００４６】
像面１３側の面が変曲点を有するレンズ８により、像面湾曲を良好に補正することができるので、コンパクト化が可能である。
【００４７】
図１（ａ）に示す構成は、レンズ群３およびレンズ群４が像面１３側に配置される広角端の構成を示している。図１（ｂ）は、望遠端における２焦点レンズ１の構成を示す断面図である。望遠端では、レンズ群３およびレンズ群４は、物体１４側に配置される。レンズ群３およびレンズ群４は、光軸１５に沿ってレンズ５と像面１３との間をそれぞれ移動可能に構成されている。
【００４８】
図１（ａ）（ｂ）に示すように、広角端におけるレンズ群３は、光軸１５に沿ってレンズ５に近づく方向に、レンズ６・７・８・９が一体となって移動して望遠端における位置に到達する。広角端におけるレンズ群４を構成するレンズ１０は、光軸１５に沿ってレンズ５に近づく方向に移動して望遠端における位置に到達する。
【００４９】
２焦点レンズにおいて形成される像を表す光を受光する電子撮像素子１１は、像面１３がその受光面に位置するように配置される。広角端におけるレンズ１０と電子撮像素子との間の距離は、２焦点レンズの全長の１／１０以下である。この電子撮像素子は、画素サイズ２．５μｍ以下のＣＭＯＳ撮像素子またはＣＣＤ撮像素子である。ＣＭＯＳ撮像素子またはＣＣＤ撮像素子の画素数は、３Ｍ（メガ）画素以上である。電子撮像素子は、２焦点レンズ１において形成される像を表す光を受光して、電気信号に変換する。電子撮像素子により変換された電気信号によって表される画像は、メモリに記憶される。
【００５０】
２焦点レンズ１の光学全長は、８ｍｍ以下になっている。ここで、光学全長とは、光学系の光学特性に対して影響を与える該光学系の全構成要素の光軸方向における寸法の総計を意味する。
【００５１】
広角端におけるＦナンバーは、４以下となっている。Ｆナンバーは、光学系の明るさを示す量の一種である。２焦点レンズ１のＦナンバーは、２焦点レンズ１の等価焦点距離を、２焦点レンズ１の入射瞳径で割った値で表される。
【００５２】
ズーミングによる画角変動により、広角端と望遠端との像面湾曲は異なる。実施の形態に係る２焦点レンズ１は、前述した特許文献１および特許文献２と異なり、レンズ群４が光軸１５に沿って移動する。この時、レンズ群４を通過する光線の領域は、望遠端では広角端に比べて狭くなる。これにより、レンズ群４を構成するレンズ１０の面の中心と周辺とで光線に与えるパワー配分を変化させることが可能となり、良好に収差を補正することができるため、移動量が小さくても変倍比が高くなるようなレンズ群３の移動量を確保することができる。これにより、特許文献２に記載の構成に比べて高い変倍比を実現することが可能となる。また、特許文献１に記載の構成に比べて変倍比は同等であるが、ズーミング時に移動するレンズの移動量が小さくても同等な変倍比を実現することができるので、特許文献１に記載の構成よりもコンパクト化することが可能である。
【００５３】
（実施の形態の２焦点レンズの設計仕様および光学特性）
図２は、上記２焦点レンズを構成する各レンズの非球面式、材料、ズーム移動等のデータを記載した図である。「構成」の欄における「Ｌ１」は、図１に示すレンズ５に相当する。「Ｌ２」はレンズ６に相当し、「Ｌ３」はレンズ７に相当する。「Ｌ４」はレンズ８に相当し、「Ｌ５」はレンズ９に相当し、「Ｌ６」はレンズ１０に相当する。
【００５４】
「Ｎｄ」は、ｄ線（波長５８７．６ｎｍ）に対する、各レンズを構成する各材料の屈折率であり、「νｄ」はｄ線に対する各材料のアッベ数である。面の中心厚（中心厚）とは、対応する面中心から像面側に向かって次の面の中心までの光軸に沿う距離である。有効半径とは、レンズにおける、光束の範囲を規制可能な円領域の半径である。非球面係数とは、非球面を構成する非球面式である数式（１）における、係数Ａｉ（ｉは４以上の偶数）を意味している。表の各値「（定数ａ）Ｅ（定数ｂ）」の表記は「（定数ａ）×１０の（定数ｂ）乗」を示しており、例えば、「２．９１Ｅ−０１」は、「２．９１×１０−１」を示しているものとする。
【００５５】
【数１】
2011123210.tif 000003
【００５６】
図３は、２焦点レンズ１の仕様及び各種光学特性を記載した図である。ＭＴＦ（Modulation Transfer Function：変調伝達関数）の計算には、以下の波長に対する重み付けにより算出した。
４０４．６６ｎｍ＝０．１３、
４３５．８４ｎｍ＝０．４９、
４８６．１３２７ｎｍ＝１．５７、
５４６．０７ｎｍ＝３．１、
また、物体距離は無限遠を適用した。「ＷＩＤＥ」の欄は、広角端における仕様・光学特性を示しており、「ＴＥＬＥ」の欄は、望遠端における仕様・光学特性を示している。
【００５７】
（実施の形態の２焦点レンズによる効果）
図４は２焦点レンズ１の広角端におけるＭＴＦ・空間周波数特性（＠０〜１７８．６ｌｐ／ｍｍ、ｈ０、ｈ０．６、ｈ０．８、ｈ１．０）を示すグラフであり、図５は２焦点レンズ１の望遠端におけるＭＴＦ・空間周波数特性を示すグラフである。横軸は空間周波数を表しており、縦軸はＭＴＦを表している。本実施の形態によれば、空間周波数に対して高いＭＴＦ特性を示している。図４および図５において、ＤＩＦＦ．ＬＩＭＩＴは、回折限界を意味する。また、Ｔはタンジェンシャルを意味し、Ｓはサジタルを意味する。○ｍｍは、像の中心から○ｍｍの位置に結像する像であることを意味する。図４及び図５では０ｍｍ、１．３６０８ｍｍ、１．８１４４ｍｍ、２．２６８０ｍｍを示し、それぞれ、像高０、０．６、０．８、１．０に相当する。ここで像高とは、像の中心を０、最端を１．０とし、各像位置を表す値を意味する。
【００５８】
図６は２焦点レンズ１の広角端におけるＭＴＦ・デフォーカス特性を示すグラフであり、図７は２焦点レンズ１の望遠端におけるＭＴＦ・デフォーカス特性を示すグラフである。横軸はフォーカスシフト量を表しており、縦軸はＭＴＦを表している。本実施の形態によれば、最良像面位置の揃った、デフォーカス特性が得られる。図６及び図７において、Ｔはタンジェンシャルを意味し、Ｓはサジタルを意味する。○ｍｍは、像の中心から○ｍｍの位置に結像する像であることを意味する。図６及び図７でも、図４及び図５と同様に、０ｍｍ、１．３６０８ｍｍ、１．８１４４ｍｍ、２．２６８０ｍｍを示し、それぞれ、像高０、０．６、０．８、１．０に相当する。ここで像高とは、像の中心を０、最端を１．０とし、各像位置を表す値を意味する。
【００５９】
図８は２焦点レンズ１の広角端における球面収差を示すグラフであり、図９は２焦点レンズ１の望遠端における球面収差を示すグラフである。横軸は像面１３の変位を示しており、縦軸は球面収差の大きさを示している。本実施の形態によれば、図８に示すように、広角時において、球面収差を良好に補正することができ、また、図９に示すように、望遠時において、球面収差を良好に補正することができる。
【００６０】
図１０は２焦点レンズ１の広角端における非点収差および歪曲収差を示すグラフであり、図１１は２焦点レンズ１の望遠端における非点収差および歪曲収差を示すグラフである。図１０及び図１１のそれぞれ左側のグラフが、非点収差を示すグラフであり、右側のグラフが歪曲収差を示すグラフである。横軸は像面１３の変位を示しており、縦軸は、それぞれ、非点収差および歪曲収差の大きさを示している。本実施の形態によれば、図１０に示すように、広角時において、非点収差および歪曲収差を良好に補正することができ、図１１に示すように、望遠時において、非点収差および歪曲収差を良好に補正することができる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６２】
本発明は、像面からの距離が固定された第１レンズ群と、第１レンズ群の像面側に配置された第２レンズ群と、第２レンズ群の像面側に配置された第３レンズ群とを備えた２焦点レンズ、ならびに、これを用いたカメラモジュールおよび携帯情報機器に適用することができる。
【符号の説明】
【００６３】
１  ２焦点レンズ
２  レンズ群（第１レンズ群）
３  レンズ群（第２レンズ群）
４  レンズ群（第３レンズ群）
５  レンズ（第１レンズ）
６  レンズ（第２レンズ）
７  レンズ（第３レンズ）
８  レンズ（第４レンズ）
９  レンズ（第５レンズ）
１０  レンズ（第６レンズ）
１３  像面
１４  物体
１５  光軸
【図１】
2011123210.tif 000004
【図２】
2011123210.tif 000005
【図３】
2011123210.tif 000006
【図４】
2011123210.tif 000007
【図５】
2011123210.tif 000008
【図６】
2011123210.tif 000009
【図７】
2011123210.tif 000010
【図８】
2011123210.tif 000011
【図９】
2011123210.tif 000012
【図１０】
2011123210.tif 000013
【図１１】
2011123210.tif 000014